(57)【要約】【課題】容易に施工でき、かつ塵埃が床に落ちにくい養生敷設体及び床養生方法を提供する。【解決手段】微粘着面１０ｂとその反対側の非粘着面１０ａを有する下敷き材１０を用意し、非粘着面１０ａを下に向けて床面１ａ上に敷設する。好ましくは、床面１ａ上に複数枚の下敷き材１０を敷き詰め、隣接する２つの下敷き材１０の縁どうしを重ね合わせる。その後、微粘着面１０ｂに対して剥離可能な養生材２０を下敷き材１０上に敷設する。【選択図】図１
2018162638.tif 000002
【特許請求の範囲】
【請求項１】
床面上に敷設される養生敷設体であって、
前記床面と接すべき非粘着面と、その反対側の微粘着面とを有する下敷き材と、
前記下敷き材上に剥離可能に敷設される養生材と、
を備えたことを特徴とする養生敷設体。
【請求項２】
床面上に前記下敷き材が複数枚敷き詰められ、隣接する２つの下敷き材の縁どうしが重ねられていることを特徴とする請求項１に記載の養生敷設体。
【請求項３】
非粘着面とその反対側の微粘着面とを有する下敷き材を、前記非粘着面を下に向けて床面上に敷設し、
その後、前記微粘着面に対して剥離可能な養生材を、前記下敷き材上に敷設することを特徴とする床養生方法。
【発明の詳細な説明】
【技術分野】
【０００１】
本発明は、床材に敷設される養生敷設体、及び床養生方法に関する。
【背景技術】
【０００２】
例えば建築現場において、フローリング等の床材を施工した後、更に種々の所要作業を行なうことがある。この場合、床面に養生材を敷設して床材を保護したうえで、所要作業を行なう。通常、養生材は、ボード状（ダンボールを含む）やシート状になっている。床面上に複数枚の養生材を敷き詰める。養生材どうしの継ぎ目及び最も外側の養生材の縁には、粘着テープ（養生テープ）を貼り付けて、養生材がずれたり、めくれたりしないようにする。前記所要作業が終わったら、粘着テープを剥がし、養生材を撤去する。
【０００３】
特許文献１によれば、養生材の下面に粘着剤が設けられている。該養生材を床材の上面に予め貼り着けておく。床の施工後に養生材を剥離して撤去する。
【先行技術文献】
【特許文献】
【０００４】
【特許文献１】特開平１０−０８８８１２号公報
【発明の概要】
【発明が解決しようとする課題】
【０００５】
養生材の継ぎ目ごとに粘着テープを貼り付ける作業は面倒で手間がかかる。一方、しっかり貼り付けておかないと、その後の所要作業の最中に養生材がずれたり、めくれたりする。また、養生材どうしの継ぎ目に隙間が出来て、そこから塵埃が床面に落ちることもある。前記所要作業が終わって養生材を撤去する時も、継ぎ目ごとに粘着テープを剥がす必要があり、面倒で手間がかかる。しかも、継ぎ目の粘着テープを剥がす際や、養生材をどかす際に、養生材上の塵埃が床面に落ちやすい。
特許文献１によれば、粘着剤付き養生材を床材から剥がす際に、粘着剤が床面に転写される可能性がある。
本発明は、かかる事情に鑑み、容易に施工でき、かつ塵埃が床に落ちにくい養生敷設体、及び床養生方法を提供することを目的とする。
【課題を解決するための手段】
【０００６】
前記課題を解決するため、本発明物は、床面上に敷設される養生敷設体であって、
前記床面と接すべき非粘着面と、その反対側の微粘着面とを有する下敷き材と、
前記下敷き材上に剥離可能に敷設される養生材と、
を備えたことを特徴とする。
【０００７】
当該養生敷設体によれば、まず床面に下敷き材を敷設する。下敷き材の下面は非粘着性であるため、下敷き材を床面上で容易に位置調整できる。続いて、下敷き材上に養生材を敷設する。すると、下敷き材の上面の微粘着性によって、養生材が下敷き材に貼り付く。これによって、養生材が下敷き材に対してずれたり、めくれたりするのを防止できる。したがって、養生材どうしの継ぎ目や養生材の周縁部を粘着テープで止める必要がない。これによって、養生敷設体を容易に施工できる。撤去時には、下敷き材の上面が微粘着性であるため、養生材を下敷き材から容易に剥がすことができる。また、塵埃が床面に落ちないようにすることができる。
【０００８】
床面上に前記下敷き材が複数枚敷き詰められ、隣接する２つの下敷き材の縁どうしが重ねられていることが好ましい。
前記隣接する２つの下敷き材のうち、下側の下敷き材の上面の微粘着性によって上側の下敷き材を貼り付けることができる。したがって、下敷き材どうしの継ぎ目を粘着テープで止める必要がない。例えば、床面に敷き詰めた複数の下敷き材における最も外側の縁だけを、粘着テープによって床材に貼り付ければよい。これによって、養生敷設体の施工を一層容易化できる。
【０００９】
本発明に係る床養生方法は、非粘着面とその反対側の微粘着面とを有する下敷き材を、前記非粘着面を下に向けて床面上に敷設し、
その後、前記微粘着面に対して剥離可能な養生材を、前記下敷き材上に敷設することを特徴とする。
【発明の効果】
【００１０】
本発明によれば、床面に養生敷設体を容易に施工できる。また、塵埃が床に落ちないようにすることができる。
【図面の簡単な説明】
【００１１】
【図１】図１は、本発明の一実施形態に係る養生敷設体を、床材に敷設した状態で示す平面図である。
【図２】図２は、図１のＩＩ−ＩＩ線に沿う断面図である。
【図３】図３は、養生敷設体の分解斜視図である。
【図４】図４（ａ）は、前記養生敷設体の一部分の分解拡大断面図である。図４（ｂ）は、図２の円部ＩＶｂの拡大断面図である。
【図５】図５は、図２の円部Ｖの拡大断面図である。
【図６】図６（ａ）は、図２の円部ＶＩａの拡大断面図である。図６（ｂ）は、同図（ａ）において、養生材どうしの継ぎ目に隙間が出来た場合の拡大断面図である。
【発明を実施するための形態】
【００１２】
以下、本発明の一実施形態を図面にしたがって説明する。
図１は、建築途中の建物のフローリング等の床材１を示したものである。図２に示すように、床材１の床面１ａ上に養生敷設体３が敷設されている。図３に示すように、養生敷設体３は、下敷き層３ａと、養生材層３ｂを含む。下敷き層３ａは、複数枚の下敷き材１０，１０…からなる。下敷き層３ａの上側に養生材層３ｂが積層されている。養生材層３ｂは、複数枚の養生材２０，２０…からなる。
【００１３】
図４（ａ）に示すように、下敷き材１０における片面（同図において下面）は、非粘着面１０ａとなり、その反対側の面（同図において上面）は、微粘着面１０ｂとなっている。詳しくは、下敷き材１０は、下敷き本体１１と、微粘着剤１２を含む。下敷き本体１１は、紙材でもよく、不織布でもよく、樹脂シートでもよい。下敷き本体１１の片面（同図において下面）が、非粘着面１０ａを構成している。非粘着面１０ａには、微粘着剤１２が塗布されておらず、下敷き本体１１が露出されている。下敷き本体１１の反対側の面（同図において上面）に微粘着剤１２が塗布されている。好ましくは、微粘着剤１２は、下敷き本体１１の前記反対側面（上面）の全域に塗布されている。微粘着剤１２の表面によって微粘着面１０ｂが構成されている。
【００１４】
微粘着剤１２は、紙や樹脂等に対して弱い接着性を有し、養生材２０を剥離可能に接着可能である。微粘着剤１２としては、例えばアクリル系粘着剤、シリコン系粘着剤、ウレタン系粘着剤、ゴム系粘着剤等が挙げられる。微粘着剤１２が、アクリルフォーム等の多孔質粘着剤であってもよい。
【００１５】
下敷き材１０の厚みは、特に限定はなく、例えば１ｍｍ以下である。
下敷き材１０の供用前の原形状は、好ましくは一定幅を有する長尺状であり、ロール状に巻かれている。ロールから下敷き材１０が所望の長さごとに切り出されて使用される。
なお、下敷き材１０の原形状は、ロール状に限られず、適度な縦横長さの四角形等であってもよい。
【００１６】
養生材２０は、ボード状ないしはシート状になっている。養生材２０の材質は、紙製でもよく、樹脂製でもよい。複数材料の複合材でもよい。ダンボール構造になっていてもよい。
養生材２０の厚みは、特に限定はなく、例えば数ｍｍ程度である。好ましくは、養生材２０は、下敷き材１０よりも厚肉である。養生材２０を厚肉にすることで、衝撃荷重等に対して床材１を確実に保護できる。
なお、養生材２０の寸法は、下敷き材１０の寸法に合わせる必要は無い。図１においては、養生材２０の幅が下敷き材１０の幅より小さいが、養生材２０の幅が下敷き材１０の幅より大きくてもよく、互いに同じ幅であってもよい。
【００１７】
図１及び図２に示すように、床面１ａ上に複数枚の下敷き材１０が敷き詰められている。図４（ｂ）に示すように、非粘着面１０ａが、下へ向けられて、下敷き材１０の下面を構成している。床面１ａには非粘着面１０ａが接している。微粘着面１０ｂは、上へ向けられて、下敷き材１０の上面を構成している。
【００１８】
図５に示すように、隣接する２つの下敷き材１０，１０の縁どうしが重ねられている。これら２つの下敷き材１０，１０のうち、下側の下敷き材１０の微粘着面１０ｂが、その微粘着性によって上側の下敷き材１０の非粘着面１０ａに剥離可能に貼り付いている。
【００１９】
図３に示すように、下敷き層３ａ全体の周縁部に沿って粘着テープ４が設けられている。図２に示すように、粘着テープ４によって、下敷き層３ａの周縁部が、床材１に貼り付けられている。言い換えると、図１に示すように、最も外側の下敷き材１０の外側縁だけに粘着テープ４が設けられている。下敷き材１０どうしの継ぎ目には、粘着テープが設けられていない。
【００２０】
図２に示すように、複数の下敷き材１０からなる下敷き層３ａ上に、複数の養生材２０からなる養生材層３ｂが敷設されている。各養生材２０が、微粘着面１０ｂに剥離可能に接着されている。
図６（ａ）に示すように、隣接する２つの養生材２０，２０の端面どうしは、好ましくは、互いに突き当てられている。
なお、図６（ｂ）に示すように、これら２つの養生材２０，２０の端面間に若干（例えば１ｍｍ〜数ｍｍ程度）の隙間２５があってもよい。また、図示は省略するが、養生材２０が薄肉等である場合には、隣接する２つの養生材２０，２０の縁どうしが重ねられていてもよい。
図１に示すように、養生材２０どうしの継ぎ目には、粘着テープが設けられていない。最も外側の養生材２０の外側縁にも、粘着テープが設けられていない。
【００２１】
養生敷設体３は、次のようにして敷設施工される。
まず、床面１ａに下敷き材１０を敷設する。このとき、非粘着面１０ａを下に向け、微粘着面１０ｂを上へ向ける。非粘着面１０ａが床面１ａに接着されることはないから、下敷き材１０を床面１ａ上で容易に位置調整できる。
隣接する下敷き材１０，１０どうしの継ぎ目においては、これら下敷き材１０，１０の縁どうしを上下に重ねる。すると、下側の下敷き材１０の微粘着面１０ｂに、上側の下敷き材１０が貼り付けられる（図５）。
下敷き材１０，１０どうしの継ぎ目ごとに粘着テープで止める必要はない。
下敷き層３ａ全体の周縁部だけを粘着テープ４によって床材１に貼り付ければよい（図２）。これによって、下敷き層３ａを容易に敷設施工できる。
【００２２】
次に、下敷き層３ａ上に養生材層３ｂを敷設する。
すなわち、養生材２０を１枚ずつ下敷き層３ａの上方で位置決めしながら、下敷き層３ａ上に載置する。すると、下敷き材１０の上面の微粘着性によって、養生材２０が下敷き材１０に貼り付く。微粘着であっても、下敷き材１０の面内方向へは強い接合力（摩擦抵抗）を発現するために、養生材２０がずれ動くのを十分に防止できる。したがって、養生材２０，２０どうしの継ぎ目や、養生材層３ｂの周縁部（最も外側の養生材２０の外側の縁）を粘着テープで止める必要がない。
また、養生材２０を一度、下敷き材１０上に載置した後でも、下敷き材１０からはがして配置位置を変更することも可能である。
これによって、養生材層３ｂを容易に敷設施工できる。
この結果、床材１に養生敷設体３を容易に短時間で敷設できる。
【００２３】
養生敷設体３の敷設後、床面１ａ上で種々の所要作業を行なう。
養生材２０は、下敷き材１０に粘着されているために、所要作業等の最中にめくれるのを防止できる。また、図６（ｂ）に示すように、養生材２０どうしの継ぎ目に隙間２５があり、そこに塵埃５（ゴミを含む）が入り込んだとしても、その塵埃５は、下敷き材１０の微粘着面１０ｂにくっ付いて、そこにとどまる。床面１ａまで達することはない。
【００２４】
前記所要作業が終わったら、養生敷設体３を撤去する。
撤去手順としては、先ず養生材２０を下敷き材１０から剥がす。下敷き材１０の上面が微粘着性であるため、養生材２０を容易に剥がすことができる。養生材２０一部が下敷き材１０にくっ付いて残ったり破れたりせず、きれいに剥がすことができる。
しかも、養生材２０が粘着テープで止められていないから、粘着テープを剥がす必要がなく、養生材２０を容易に撤去できる。
養生材２０を剥がして撤去する際、養生材２０の上面にあった塵埃（ゴミを含む）が落下することがある。これら塵埃は、前記所要作業中の場合と同様に、下敷き材１０の微粘着面１０ｂにくっ付いて、そこにとどまり、床面１ａまで達することはない。
【００２５】
次に、下敷き層３ａの周縁の粘着テープ４を剥がし、下敷き層３ａを撤去する。下敷き層３ａを、まるごと丸めたり折り畳んだりして撤去してもよく、下敷き材１０ごとに分離したうえで重ねたり、各下敷き材１０を丸めたり折り畳んだりして撤去してもよい。このとき、下敷き材１０上に塵埃があってとしても、その塵埃は微粘着剤１２にくっ付いているから、床面１ａに落ちないようにすることができる。微粘着面１０ｂが下を向かないようにしながら、下敷き材１０を丸めたり折り畳んだりすることで、塵埃と微粘着剤１２との接着が弱くても、床面１ａに塵埃が落ちるのを確実に防止できる。
また、床面１ａには非粘着面１０ａが接していたために、養生敷設体３の撤去時に、微粘着剤１２が床面１ａに転写されることがない。
このようにして、養生敷設体３を簡単に撤去できる。
撤去した養生材２０は、前記したようにきれいな状態であるから、再度、使用に供することも可能である。つまり、養生材２０を複数回、使い回すことができ、資材コストを低減できる。
【００２６】
本発明は、前記実施形態に限定されるものではなく、その趣旨を逸脱しない範囲において種々の改変をなすことができる。
例えば、本発明の養生敷設体３及び床養生方法は、建築途中の床材１の養生に限られず、引っ越し作業を行なう際の床材１の養生等にも適用可能である。
【産業上の利用可能性】
【００２７】
本発明は、例えば、建築現場においてフローリング等の床材の養生手段として適用できる。
【符号の説明】
【００２８】
１            床材
１ａ          床面
３            養生敷設体
３ａ          下敷き層
３ｂ          養生材層
４            粘着テープ
１０          下敷き材
１０ａ        非粘着面（下面）
１０ｂ        微粘着面（上面）
１１          下敷き本体
１２          微粘着剤
２０          養生材
２５          隙間
【図１】
2018162638.tif 000003
【図２】
2018162638.tif 000004
【図３】
2018162638.tif 000005
【図４】
2018162638.tif 000006
【図５】
2018162638.tif 000007
【図６】
2018162638.tif 000008